(57)【特許請求の範囲】
【請求項１】
左右方向に隣接して配置される複数のパネル体と、パネル体を支持する支柱を備え、パネル体は、上下の横桟と左右の縦桟を有し、横桟と縦桟とを回動自在に連結してあり、縦桟は、パネル体外周側に重合部を有し、隣接するパネル体の横桟が、端面を突き合わせるようにして連結してあり、隣接するパネル体の隣接する縦桟の重合部が見込み方向に重なり合い、横桟の角度に応じて重合部同士の重なり代が変化することを特徴とするフェンス。
【発明の詳細な説明】
【技術分野】
【０００１】
本発明は、傾斜地対応型のフェンスに関する。
【背景技術】
【０００２】
従来よりフェンスのパネル体として、図１６に示すように、上下の横桟９０，９１と左右の縦桟９２，９３をリベット９４等により回動自在に連結し、傾斜地に設置する場合には平行四辺形状に変形できるようにしたものがあった。このようなパネル体９５は、図１６（ａ）に示すように、水平状態で左右に隣接するパネル体９５，９５の横桟９０，９１及び縦桟９２，９３間に隙間が開かないようにすると、図１６（ｂ）に示すように、傾斜状態で設置したときに隣接するパネル体９５，９５の横桟９０，９１間に隙間Ｓができ、この隙間Ｓを隠すためにカバー材９６を別途設ける必要がある。一方、図１６（ｃ）に示すように、傾斜状態で設置するときに隣接するパネル体９５，９５の横桟９０，９１及び縦桟９２，９３間に隙間が開かないようにすると、図１６（ｄ）に示すように、水平状態や傾斜が緩い場所に設置するときに隣接するパネル体９５，９５の縦桟９２，９３間に隙間Ｓができてしまう。
特許文献１記載のフェンスは、各縦桟に左右方向にスライド可能な縦桟カバーを設け、縦桟カバーの位置調整を個々に行って縦桟間の隙間を閉塞している。このように従来の傾斜地対応型のフェンスでは、隣接するパネル体の横桟や縦桟間の隙間を隠すためにカバー材の設置や調整が必要であり、コストアップと施工の煩雑化を招いていた。
【先行技術文献】
【特許文献】
【０００３】
【特許文献１】特開２００７−２１８０６７号公報
【発明の概要】
【発明が解決しようとする課題】
【０００４】
本発明は以上に述べた実情に鑑み、カバー材の設置や調整を行うことなく、隣接するパネル体間に隙間が生じない傾斜地対応型のフェンスの提供を目的とする。
【課題を解決するための手段】
【０００５】
上記の課題を達成するために請求項１記載の発明によるフェンスは、左右方向に隣接して配置される複数のパネル体と、パネル体を支持する支柱を備え、パネル体は、上下の横桟と左右の縦桟を有し、横桟と縦桟とを回動自在に連結してあり、縦桟は、パネル体外周側に重合部を有し、隣接するパネル体の横桟が、端面を突き合わせるようにして連結してあり、隣接するパネル体の隣接する縦桟の重合部が見込み方向に重なり合い、横桟の角度に応じて重合部同士の重なり代が変化することを特徴とする。
【発明の効果】
【０００６】
請求項１記載の発明によるフェンスは、パネル体の横桟と縦桟とを回動自在に連結してあるので、傾斜地に設置する場合は傾斜角度に合わせてパネル体を平行四辺形状に変形することができ、縦桟は、パネル体外周側に重合部を有し、隣接するパネル体の横桟が、端面を突き合わせるようにして連結してあり、隣接するパネル体の隣接する縦桟の重合部が見込み方向に重なり合い、横桟の角度に応じて重合部同士の重なり代が変化するようにしたので、水平に設置する場合、傾斜地に設置する場合のいずれにおいても、隣接するパネル体の横桟間及び縦桟間に隙間が生じない。
【図面の簡単な説明】
【０００７】
【図１】パネル体同士の連結部を拡大して示す正面図である。
【図２】図１のＡ−Ａ断面図である。
【図３】図１のＢ−Ｂ断面図である。
【図４】パネル体の端部を拡大して示す正面図である。
【図５】図４のＣ−Ｃ断面図である。
【図６】パネル体の中央部を拡大して示す正面図である。
【図７】図６のＤ−Ｄ断面図である。
【図８】本発明のフェンスの一実施形態を示す正面図である。
【図９−１】パネル体の組立て手順を示す正面図である。
【図９−２】パネル体の組立て手順（図９−１の続き）を示す正面図である。
【図１０】図８と同じフェンスを水平に設置した場合の正面図である。
【図１１】図１０のフェンスのパネル体同士の連結部を拡大して示す正面図である。
【図１２】図１１のＥ−Ｅ断面図である。
【図１３】（ａ）はパネル体の他の実施形態を示す正面図であり、（ｂ）は同パネル体を水平に２枚連結した状態の正面図、（ｃ）同パネル体を平行四辺形状に変形して２枚連結した状態の正面図である。
【図１４】（ａ）は図１３のＦ−Ｆ断面図、（ｂ）は図１３のＧ−Ｇ断面図である。
【図１５】縦桟の重合部の他の実施形態を示すパネル体同士の連結部の横断面図である。
【図１６】従来の傾斜地対応型のフェンスの構造を模式的に示す正面図である。
【発明を実施するための形態】
【０００８】
以下、本発明の実施の形態を図面に基づいて説明する。図１〜８は、本発明のフェンスの一実施形態を示している。本フェンスは、図８に示すように、傾斜地に設置したフェンスであり、平行四辺形状の２枚のパネル体１，１を横に連結してあり、各パネル体１は１本ないし２本の支柱２により支持されている。パネル体１は、上下の横桟３，４と、左右の縦桟５，６と、中間縦桟９と、左右の縦桟５，６と中間縦桟９間に上下方向に間隔をおいて取付けた複数のルーバー１０，１０，…とで構成され、設置する場所の傾斜に応じて横桟３，４及びルーバー１０が水平な状態から最大４０°傾斜した状態まで変形できるものとなっている。図示の例は、横桟３，４及びルーバー１０の傾斜が最も大きい場合を示している。フェンスの左右端部にはカバー材１１を取付け、横桟３，４の小口を隠している。各部材は、アルミニウム合金の押出形材で形成してある。
【０００９】
上下の横桟３，４は、図３に示すように、横桟付子３ａ，４ａと、横桟付子３ａ，４ａに被せて取付けた横桟本体３ｂ，４ｂとからなる。横桟付子３ａ，４ａは、略角筒状の断面となっており、横桟本体３ｂ，４ｂはパネル体外周側に中空部１２を有し、パネル体内周側に横桟付子３ａ，４ａを収容する溝部１３を有する。横桟本体３ｂ，４ｂは、図１，４に示すように、横桟付子３ａ，４ａよりも所定の長さだけ長くなっており、横桟付子３ａ，４ａに被せてから長手方向に位置を調整し、両端部を背面側からのネジ１４で横桟付子３ａ，４ａに固定してある。左側のパネル体１の横桟本体３ｂ，４ｂと右側のパネル体１の横桟本体３ｂ，４ｂとは、図１，２に示すように、パッキン１５を挟んで端面同士を突き合わせると共に、左右の横桟本体３ｂ，４ｂの中空部１２内に連結金具１６を跨って配置し、これをネジ１７で固定して連結されている。左右のパネル体１，１の横桟付子３ａ，４ａ間の間隔Ｓ（図１参照）は、横桟３，４の傾斜角度によらず一定である。
【００１０】
左右の縦桟５，６は、図１，２，４，５に示すように、縦桟付子５ａ，６ａと、縦桟本体５ｂ，６ｂとからなる。縦桟本体５ｂ，６ｂは、略Ｈ形断面となっており、パネル体内周側に縦桟付子５ａ，６ａとルーバー１０の端部を収容する溝部１８を有すると共に、パネル体外周側の側方に張り出すフィン７，８を対向して有している。フィン７，８の間隔は、右側の縦桟６よりも左側の縦桟５の方が少し広くなっている。
縦桟付子５ａ，６ａは、ルーバー１０の長手方向の端部が背面側からのリベット１９で回動自在に連結され、縦桟本体５ｂ，６ｂの内周側の溝部１８内に収納して、上下の端部を横桟付子３ａ，４ａに背面側からリベット２０で回動自在に連結してある。このように縦桟付子５ａ，６ａを縦桟本体５ｂ，６ｂの溝部１８内に収納したことで、ルーバー１０を取付けているリベット１９が外部に露出しない。
縦桟本体５ｂ，６ｂは、内周側の溝部１８内に横桟付子３ａ，４ａの端部を呑み込ませ、背面側からのリベット２１で横桟付子３ａ，４ａに回動自在に連結してある。横桟付子３ａ，４ａに横桟本体３ｂ，４ｂが被せてあることで、縦桟５，６の小口と、縦桟付子５ａ，６ａ及び縦桟本体５ｂ，６ｂを横桟３，４に取付けているリベット２０，２１が外部に露出しない。
【００１１】
パネル体１，１同士の連結部においては、図１，２に示すように、右側のパネル体１の左側の縦桟５のフィン７，７の内側に、左側のパネル体１の右側の縦桟６のフィン８，８が嵌まり込んでおり、このように両縦桟５，６のフィン７，８同士が見込み方向に重なることで、両縦桟５，６間に隙間が開かないようにしている。またこのようにフィン７，８同士が嵌合して重なっていることで、パネル体１，１同士の連結の強度が高められ、風や振動による連結部のばたつきを防止できると共に、両縦桟５，６の見付け面が面一状で連続するため、意匠的にも良好になる。フィン７，８同士の重なり代Ｌは、左右のパネル体１，１の横桟付子３ａ，４ａ間の間隔Ｓが横桟３，４の傾斜角度によらず一定であるため、横桟３，４の傾斜角度が大きいほど大きくなる。
【００１２】
ルーバー１０は、図３に示すように、上側のルーバー１０の下部に下側のルーバー１０の上部がラップするように配置され、これにより視線を遮りつつ通風できるようにしている。
【００１３】
フェンスの左右端部には、図４，５に示すように、コ字形断面のカバー材１１を側方から嵌め込み、横桟本体３ｂ，４ｂにネジ２２で固定してあり、カバー材１１により横桟３，４の小口が外部に露出しないようにしている。横桟３，４を横桟付子３ａ，４ａと横桟本体３ｂ，４ｂとに分割して構成したことで、先に述べたように縦桟５，６を横桟３，４に連結しているリベット２０，２１を隠蔽できることに加え、図４に示すように、横桟本体３ｂ，４ｂが横桟付子３ａ，４ａからはみ出す長さを上下の横桟３，４で違わせることで、カバー材１１の見付寸法Ｗを小さくできる利点がある。
【００１４】
中間縦桟９は、図６，７に示すように、パネル体１，１同士の連結部と同様に、フィン７，８同士が嵌合するように背中合わせに配置した２本の縦桟本体５ｂ，６ｂと、縦桟本体５ｂ，６ｂの溝部１８内にそれぞれ収容した縦桟付子５ａ，６ａとからなり、縦桟本体５ｂ，６ｂと縦桟付子５ａ，６ａの上下端部が横桟付子３ａ，４ａに背面側からのリベット２０，２１で回動自在に連結してある。
【００１５】
各パネル体１は、図４に示すように、パネル体１を上下から挟み込むように取付けた金具２３ａ，２３ｂを支柱２にネジ２４で固定して、支柱２に取付けてある。支柱２は、設置場所を左右に移動できるいわゆるフリー支柱である。
【００１６】
次に、パネル体１の組立手順を説明すると、図９−１（ａ）に示すように、２本の縦桟付子５ａ，６ａ間にルーバー１０，１０，…をリベット１９で取付けたものを２セット作成し、図９−１（ｂ）に示すように、各縦桟付子５ａ，６ａを縦桟本体５ｂ，６ｂの溝部１８内に収納する。その後、図９−１（ｃ）に示すように、その上下に横桟付子３ａ，４ａを渡し、縦桟付子５ａ，６ａと縦桟本体５ｂ，６ｂの上下端部を横桟付子３ａ，４ａにリベット２０，２１で連結する。次に、図９−２（ｄ）に示すように、設置する場所の傾斜に合わせてパネル体１を平行四辺形状に変形させ、横桟付子３ａ，４ａに横桟本体３ｂ，４ｂを上下から被せる。その後、横桟本体３ｂ，４ｂの長手方向の位置を調整した上で、横桟本体３ｂ，４ｂを横桟付子３ａ，４ａにネジ１４で固定する。
【００１７】
図１０〜１２は、これまでに説明したものと同一のパネル体１，１を用い、水平地に設置したフェンスを示している。この場合も、縦桟５，６のフィン７，８は横桟３，４の端面よりも側方に張り出し、パネル体１，１同士の連結部において、右側のパネル体１の左側の縦桟５のフィン７，７の内側に、左側のパネル体１の右側の縦桟６のフィン８，８が嵌まり込み、両縦桟５，６間に隙間が開かない。フィン７，８同士の重なり代Ｌは、このように横桟３，４が水平なときに最も小さくなる。
【００１８】
以上に述べたように本フェンスは、パネル体１の左右の縦桟５，６に、パネル体外周側の側方に張り出すフィン７，８を設け、隣接するパネル体１，１の隣接する縦桟５，６のフィン７，８同士が見込み方向に重なり合い、横桟３，４の角度に応じてフィン７，８同士の重なり代Ｌが変化するようにしたので、水平に設置する場合、傾斜地に設置する場合のいずれにおいても、隣接するパネル体１，１の縦桟５，６間に隙間が生じない。隣接するパネル体１，１同士を連結するには、横桟３，４の端面を突き合わせるようにして連結金具１６で連結するだけでよく、連結作業が簡単に行え、横桟３，３と４，４間にも隙間が生じない。このように本フェンスは、パネル体１，１同士の連結部にカバーを別途設けたり、カバーの位置を調整したりする必要がないので、施工性が良好であると共に、コストを削減できる。さらに、隣接する縦桟５，６のフィン７，８同士が互いに嵌合するようにしたことで、パネル体１，１同士の連結部の強度を高められると共に、意匠性を向上できる。
【００１９】
横桟３，４は、横桟付子３ａ，４ａと横桟本体３ｂ，４ｂとに分離せず、一体成形のものであってもよい。縦桟５，６も、縦桟付子５ａ，６ａと縦桟本体５ｂ，６ｂとに分離せず、一体成形のものであってもよい。図１３（ａ）は、横桟３，４と縦桟５，６が一体成形の場合のパネル体１の例を示し、図１３（ｂ）はこのパネル体１を水平に連結した状態、図１３（ｂ）はこのパネル体１を平行四辺形状に変形して連結した状態を示している。縦桟５，６は、上下端部を横桟３，４に呑み込ませてリベット２５で回動自在に連結してあり、図１４に示すように、パネル体外周側の側方に張り出すフィン７，８を対向して有し、隣接するパネル体１，１の横桟３，４は端面を突き合わせて連結され、隣接するパネル体１，１の隣接する縦桟５，６のフィン７，８同士が、水平設置の場合（図１４（ａ））、傾斜設置の場合（図１４（ｂ））の何れの場合も見込み方向に重なり合い、両縦桟５，６間に隙間が開かない。
【００２０】
図１５は、縦桟５，６の重合部の他の実施形態を示している。図１５（ａ）は、左右の縦桟５，６に外周側に張り出すフィン７，８を同じ間隔で対向して設け、フィン７，８同士が互い違いに重なるように嵌合している。図１５（ｂ）は、左右の縦桟５，６に外周側に張り出すフィン７，８を一つずつ設け、そのフィン７，８が見込み方向に重なり合うようにしている。図１５（ｃ）は、一方の縦桟６に外周側に張り出すフィン８，８を対向して設け、他方の縦桟５にはそのフィン８，８間に嵌まり込む突部２６を設けている。
【００２１】
本発明は以上に述べた実施形態に限定されない。横桟３，４や縦桟５，６の断面形状は適宜変更することができる。縦桟５，６のフィン７，８は、隣接する左右の縦桟５，６のどちらか一方のみに、横桟３，４の端面よりも側方に張り出して設けてもよい。横桟３，４と縦桟５，６とで構成される枠内に取付けられる部材の形態は任意であり、実施形態のようなルーバー１０に限らず、棒状の部材を縦や横に格子状に取付けてもよい。部材同士を回動自在に連結するため、リベットに限らず、ネジやボルト・ナット等を使用してもよい。
【符号の説明】
【００２２】
１  パネル体
２  支柱
３，４  横桟
３ａ，４ａ  横桟付子
３ｂ，４ｂ  横桟本体
５，６  縦桟
５ａ，６ａ  縦桟付子
５ｂ，６ｂ  縦桟本体  
７，８  フィン（重合部）  
Ｌ  フィン（重合部）同士の重なり代
【図１】
0005704961.tif 000002
【図２】
0005704961.tif 000003
【図３】
0005704961.tif 000004
【図４】
0005704961.tif 000005
【図５】
0005704961.tif 000006
【図６】
0005704961.tif 000007
【図７】
0005704961.tif 000008
【図８】
0005704961.tif 000009
【図９−１】
0005704961.tif 000010
【図９−２】
0005704961.tif 000011
【図１０】
0005704961.tif 000012
【図１１】
0005704961.tif 000013
【図１２】
0005704961.tif 000014
【図１３】
0005704961.tif 000015
【図１４】
0005704961.tif 000016
【図１５】
0005704961.tif 000017
【図１６】
0005704961.tif 000018